(57)【要約】【課題】商品に対する視聴者の熟練度合いに応じたコンテンツを出力できるようにする。【解決手段】デジタルサイネージ装置１の制御部２３によれば、商品に対する操作時間を取得し、取得した操作時間に基づいて、コンテンツを選択する。そして、選択したコンテンツをプロジェクタ２４及び音声出力部３３により出力させる。【選択図】図５
2018097761.tif 000002
【特許請求の範囲】
【請求項１】
商品に対する操作時間を取得する操作時間取得手段と、
前記操作時間取得手段により取得された操作時間に基づいて、コンテンツを選択する選択手段と、
前記選択手段により選択されたコンテンツを出力手段に出力させる出力制御手段と、
を備える出力制御装置。
【請求項２】
前記操作時間は、前記商品に備えられている機能を使用するための操作が開始されてから前記商品に備えられている機能に対応した所定の操作が実行されるまでの時間である請求項１に記載の出力制御装置。
【請求項３】
前記選択手段は、前記操作時間と予め定められた閾値に基づいて前記コンテンツを選択する請求項１又は２に記載の出力制御装置。
【請求項４】
前記閾値は複数設けられており、
前記選択手段は、前記操作時間が複数の前記閾値のうち何れの閾値を超えたかに基づいてコンテンツを選択する請求項３に記載の出力制御装置。
【請求項５】
前記操作時間取得手段は、前記商品に備えられている機能毎の前記操作時間を取得する請求項１又は２に記載の出力制御装置。
【請求項６】
前記選択手段は、前記商品に備えられている機能毎の前記操作時間に基づいて前記コンテンツを選択する請求項５に記載の出力制御装置。
【請求項７】
前記選択手段は、前記操作時間が予め定められた閾値を超えた機能の数に応じて前記コンテンツを選択する請求項５又は６に記載の出力制御装置。
【請求項８】
前記選択手段は、前記操作時間が予め定められた閾値を超えた機能に関するコンテンツを選択する請求項５〜７の何れか一項に記載の出力制御装置。
【請求項９】
商品に対する操作時間を取得する操作時間取得工程と、
前記操作時間取得工程において取得された操作時間に基づいて、コンテンツを選択する選択工程と、
前記選択工程において選択されたコンテンツを出力手段に出力させる出力制御工程と、
を含む出力制御方法。
【請求項１０】
コンピュータを、
商品に対する操作時間を取得する操作時間取得手段、
前記操作時間取得手段により取得された操作時間に基づいて、コンテンツを選択する選択手段、
前記選択手段により選択されたコンテンツを出力手段に出力させる出力制御手段、
として機能させるためのプログラム。
【発明の詳細な説明】
【技術分野】
【０００１】
本発明は、出力制御装置、出力制御方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかしながら、特許文献１に記載の映像出力装置は一方的な映像を出力するだけであり、コンテンツで紹介する商品に対する視聴者の熟練度合いに応じたコンテンツを出力することができなかった。
【０００５】
本発明の課題は、商品に対する視聴者の熟練度合いに応じたコンテンツを出力できるようにすることである。
【課題を解決するための手段】
【０００６】
上記課題を解決するため、請求項１に記載の発明の出力制御装置は、
商品に対する操作時間を取得する操作時間取得手段と、
前記操作時間取得手段により取得された操作時間に基づいて、コンテンツを選択する選択手段と、
前記選択手段により選択されたコンテンツを出力手段に出力させる出力制御手段と、
を備える。
【発明の効果】
【０００７】
本発明によれば、商品に対する視聴者の熟練度合いに応じたコンテンツを出力することが可能となる。
【図面の簡単な説明】
【０００８】
【図１】本実施形態におけるコンテンツ出力システムの全体構成例を示す図である。
【図２】図１のデジタルサイネージ装置の機能的構成を示すブロック図である。
【図３】図２のスクリーン部の概略構成を示す図である。
【図４】図１のデジタルカメラの機能的構成を示すブロック図である。
【図５】第１の実施形態においてデジタルサイネージ装置とデジタルカメラにおいて実行される出力制御処理Ａの流れを示す図である。
【図６】第２の実施形態においてデジタルサイネージ装置とデジタルカメラにおいて実行される出力制御処理Ｂの流れを示す図である。
【発明を実施するための形態】
【０００９】
以下、添付図面を参照して本発明に係る実施形態を詳細に説明する。本発明は、図示例に限定されるものではない。
【００１０】
＜第１の実施形態＞
［コンテンツ出力システム１００の構成］
図１は、本発明の実施形態におけるコンテンツ出力システム１００の全体構成を示す図である。コンテンツ出力システム１００は、デジタルカメラ２の宣伝を行うためのシステムであり、図１に示すように、デジタルサイネージ装置１とデジタルカメラ２とを備えて構成されている。
【００１１】
［デジタルサイネージ装置１の構成］
デジタルサイネージ装置１は、店舗等において商品（ここでは、デジタルカメラ２）を宣伝するためのコンテンツを出力する装置である。デジタルサイネージ装置１は、例えば、デジタルカメラ２の陳列棚付近に設置されている。
【００１２】
図２は、デジタルサイネージ装置１の主制御構成を示すブロック図である。図３は、図２のスクリーン部２２の概略構成を示す正面図である。デジタルサイネージ装置１は、図２に示すように、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１４】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、図５のデジタルサイネージ装置１側の処理を始めとする各種処理を実行する。制御部２３は、選択手段、出力制御手段として機能する。また、通信部２６との協働により操作時間取得手段として機能する。
【００１５】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。プロジェクタ２４は、画像形成部２７との協働により出力手段として機能する。
【００１６】
記憶部２５は、ＨＤＤ（Hard Disk Drive）や不揮発性の半導体メモリ等により構成される。記憶部２５には、図２に示すように、プログラム記憶部２５１が設けられている。プログラム記憶部２５１には、制御部２３で実行されるシステムプログラムや、各種処理を実行するための処理プログラム、これらのプログラムの実行に必要なデータ等が記憶されている。
【００１７】
また、記憶部２５には、コンテンツ情報記憶部２５２が設けられている。コンテンツ情報記憶部２５２には、コンテンツを識別するためのコンテンツ番号に対応付けて、デジタルサイネージ装置１でコンテンツを出力するためのコンテンツ情報（コンテンツデータ）が記憶されている。コンテンツ情報は、例えば、コンテンツを構成する複数のフレーム画像の画像データ及び各フレーム画像に対応する音声データにより構成されている。
【００１８】
本実施形態において、コンテンツ情報記憶部２５２には、デジタルカメラ２の初心者向けコンテンツのコンテンツ情報と、デジタルカメラ２の上級者向けコンテンツのコンテンツ情報が記憶されている。初心者向けコンテンツとは、デジタルカメラ２に慣れていない人（即ち、デジタルカメラ２の熟練度合いの低い人）向けのコンテンツである。上級者向けコンテンツとは、デジタルカメラ２にある程度慣れている人（即ち、デジタルカメラ２の熟練度合いの高い人）向けのコンテンツである。
また、コンテンツ情報記憶部２５２には、視聴者へのガイダンスを出力するためのコンテンツ情報が記憶されている。
【００１９】
また、記憶部２５には、出力制御情報記憶部２５３が設けられている。出力制御情報記憶部２５３には、後述する出力制御処理Ａにおいて使用されるデジタルカメラ２の操作時間の閾値Ｔが記憶されている。
【００２０】
通信部２６は、例えば、デジタルカメラ２等の外部機器と通信を行うためのインターフェースを有する。通信部２６は、例えば、ブルートゥース（登録商標：Bluetooth）やＷｉ−Ｆｉ（Wireless Fidelity）等の無線通信規格に従って外部機器とデータの送受信を行う。或いは、ＵＳＢ（Universal Serial Bus）等の有線通信規格に従って外部機器とデータの送受信を行うこととしてもよい。
【００２１】
次に、スクリーン部２２について説明する。
図３に示すように、スクリーン部２２には、画像形成部２７と、画像形成部２７を支持する台座２８とが備えられている。
【００２２】
画像形成部２７は、映像光の照射方向に対して略直交するように配置された、例えばアクリル板などの一枚の透光板に、フィルム状のフレネルレンズが積層された背面投影用のフィルムスクリーンが貼付されて構成されたスクリーンである。画像形成部２７は、プロジェクタ２４から照射された映像光を背面で受けて前面に表示する。
【００２３】
台座２８には、ボタン式の操作部３２と、音声出力部３３と、が設けられている。
【００２４】
操作部３２は、操作ボタンを備え、操作ボタンの押下信号を検出して制御部２３に出力する。
【００２５】
音声出力部３３は、スピーカ等により構成され、制御部２３から指示された音声データに基づいて音声を出力する。
【００２６】
操作部３２、音声出力部３３は、図２に示すように制御部２３に接続されている。
【００２７】
［デジタルカメラ２の構成］
デジタルカメラ２は、図４に示すように、制御部２０１、操作部２０２、表示部２０３、記憶部２０４、撮像部２０５、通信部２０６、計時部２０７等を備えて構成されている。
【００２８】
制御部２０１は、記憶部２０４に記憶されている各種のプログラムを実行して所定の演算や各部の制御を行うＣＰＵとプログラム実行時の作業領域となるメモリとを備えている（いずれも図示略）。制御部２０１は、記憶部２０４に記憶されているプログラムとの協働により図５のデジタルカメラ２側の処理を始めとする各種処理を実行する。
【００２９】
操作部２０２は、電源ボタン、撮影ボタン、各種機能ボタン等の各種押しボタンを備え、ユーザによる各ボタンの押下入力を受け付けてその操作情報を制御部２０１に出力する。また、操作部２０２は、表示部２０３の表面を覆うように透明電極を格子状に配置したタッチパネル等を有し、手指やタッチペン等で押下された位置を検出し、その位置情報を操作情報として制御部２０１に出力する。  
【００３０】
表示部２０３は、ＬＣＤ（Liquid Crystal Display）等により構成され、制御部２０１からの表示制御信号に従って、画面上に各種表示を行う。
【００３１】
記憶部２０４は、不揮発性の半導体メモリ等により構成される。記憶部２０４には、制御部２０１で実行されるシステムプログラムや各種処理プログラム（アプリケーションプログラム）、これらのプログラムの実行に必要なデータ等が記憶されている。例えば、記憶部２０４は、図５のデジタルカメラ２側の処理を実行するためのプログラム等が記憶されている。
【００３２】
撮像部２０５は、光学レンズユニット、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、光学系を通過した光学像を２次元の画像信号に変換し画像データを取得する。
【００３３】
通信部２０６は、例えば、デジタルサイネージ装置１等の外部機器と通信を行うためのインターフェースを有する。通信部２０６は、例えば、ブルートゥース（登録商標）やＷｉ−Ｆｉ等の無線通信規格に従って外部機器とデータの送受信を行う。或いは、ＵＳＢ（Universal Serial Bus）等の有線通信規格に従って外部機器とデータの送受信を行うこととしてもよい。
【００３４】
計時部２０７は、時刻情報を取得して制御部２０１に出力する。
【００３５】
［コンテンツ出力システム１００の動作］
次に、本実施形態におけるコンテンツ出力システム１００の動作について説明する。  図５は、デジタルサイネージ装置１とデジタルカメラ２が所定の手順に基づいて通信接続された際に、デジタルサイネージ装置１とデジタルカメラ２において実行される出力制御処理Ａの流れを示す図である。図５に示すデジタルサイネージ装置１側の処理は、制御部２３とプログラム記憶部２５１に記憶されているプログラムとの協働により実行される。デジタルカメラ２側の処理は、制御部２０１と記憶部２０４に記憶されているプログラムとの協働により実行される。
【００３６】
出力制御処理Ａが開始されると、まず、デジタルサイネージ装置１の制御部２３は、プロジェクタ２４及び音声出力部３３により視聴者へのガイダンスを出力させる（ステップＳ１）。視聴者へのガイダンスは、例えば、「デジタルカメラで写真を撮ってみてください」等の、視聴者にデジタルカメラ２に対する所定の機能に係る操作を促すガイダンスである。ここで、本実施形態において、所定の機能とは、例えば、その商品に備えられている最も基本的な（代表的な）機能であり、デジタルカメラ２の場合、撮影機能である。所定の機能に係る操作とは、所定の機能を使用するための操作である。
【００３７】
一方、デジタルカメラ２の制御部２０１は、操作部２０２により所定の機能に係る操作が開始されるのを待機する（ステップＳ２）。
【００３８】
操作部２０２によりデジタルカメラ２の所定の機能に係る操作が開始されると（ステップＳ２；ＹＥＳ）、制御部２０１は、計時部２０７により出力される時刻情報に基づいて計時を開始する（ステップＳ３）。操作部２０２により所定の機能に対応した所定の操作（所定の機能の実行のトリガとなる操作）が実行されると（ステップＳ４；ＹＥＳ）、制御部２０１は、計時を終了する（ステップＳ５）。
【００３９】
ここで、例えば、デジタルカメラ２の撮影機能を使用するためには、ホーム画面から操作部２０２により撮影機能を選択する操作を行った後、撮影機能に対応した所定の操作、すなわちシャッターボタンを押下する操作の実行が必要となる。シャッターボタンの押下操作が実行されると、撮影機能が実行される。ステップＳ２〜Ｓ５において、制御部２０１は、ホーム画面から操作部２０２により撮影機能が選択されるのを待機し、撮影機能が選択されると、計時を開始する。シャッターボタンが押下され撮影が開始されると、計時を終了する。なお、操作時間の開始と終了のタイミングは、出力制御情報記憶部２５３に予め定義されている。ステップＳ２〜ステップＳ５により、視聴者のデジタルカメラ２の基本機能に係る操作時間を計測することができる。
【００４０】
次いで、制御部２０１は、計測された操作時間を通信部２０６によりデジタルサイネージ装置１に送信する（ステップＳ６）。
【００４１】
デジタルサイネージ装置１において、通信部２６によりデジタルカメラ２から操作時間を受信すると、制御部２３は、受信した操作時間をメモリに記憶するとともに、操作時間が出力制御情報記憶部２５３に予め設定されている閾値Ｔ以下であるかを判断する（ステップＳ７）。
【００４２】
操作時間が閾値Ｔ以下であると判断した場合（ステップＳ７；ＹＥＳ）、制御部２３は、出力するコンテンツとして上級者向けコンテンツを選択し、コンテンツ情報記憶部２５２から上級者向けコンテンツを読み出してプロジェクタ２４及び音声出力部３３に上級者向けコンテンツを出力させる（ステップＳ８）。
【００４３】
操作時間が閾値Ｔ以下ではない（超えている）と判断した場合（ステップＳ７；ＮＯ）、制御部２３は、出力するコンテンツとして初心者向けコンテンツを選択し、コンテンツ情報記憶部２５２から初心者向けコンテンツを読み出してプロジェクタ２４及び音声出力部３３に初心者向けコンテンツを出力させる（ステップＳ９）。
【００４４】
デジタルサイネージ装置１において、コンテンツの出力が終了すると、デジタルカメラ２との通信が接続されている場合、制御部２３は、例えば、通信部２６によりデジタルカメラ２にその旨を通知し、ステップＳ１に戻る。デジタルカメラ２において、通信部２０６によりコンテンツ出力終了通知が受信されると、制御部２０１は、ステップＳ２に戻る。
【００４５】
このように、デジタルサイネージ装置１においては、デジタルカメラ２の基本機能の操作時間が短い場合、即ち、視聴者がデジタルカメラ２に慣れている場合（デジタルカメラ２に対する熟練度合いが高い場合）には上級者向けのコンテンツを選択して出力し、操作時間が長い場合、即ち、視聴者がデジタルカメラ２に慣れていない場合（デジタルカメラ２に対する熟練度合いが低い場合）には初心者向けコンテンツを選択して出力する。従って、デジタルカメラ２に対する視聴者の熟練度合いに応じたコンテンツを出力することが可能となり、効果的な宣伝を行うことが可能となる。
【００４６】
なお、上記第１の実施形態においては、デジタルカメラ２において視聴者によるデジタルカメラ２に対する操作時間を計測することとして説明したが、これに限定されず、デジタルサイネージ装置１において視聴者のデジタルカメラ２に対する操作時間を計測する構成としてもよい。例えば、デジタルサイネージ装置１が撮影部及びマイクを備える構成とし、撮影部によりデジタルカメラ２が陳列されている付近を撮影してその撮影画像を制御部２３で解析する処理を繰り返して視聴者がデジタルカメラ２を手にとったタイミングを特定し、特定したタイミングからマイクによりシャッター音が入力された時間までを操作時間として取得することとしてもよい。これにより、デジタルサイネージ装置１のみの処理でコンテンツの出力制御を行うことが可能となる。
【００４７】
また、上記第１の実施形態においては、操作時間の閾値Ｔを一つ設け、操作時間≦Ｔの場合、上級者向けのコンテンツを出力し、操作時間＞Ｔの場合、初心者向けのコンテンツを出力することとしたが、操作時間の閾値は複数設けることとしてもよい。そして、制御部２３は、操作時間が何れの閾値を超えたかに基づいて、出力するコンテンツを選択することとしてもよい。例えば、操作時間の閾値Ｔ１、Ｔ２（Ｔ１＜Ｔ２）を設け、操作時間≦Ｔ１の場合、上級者向けのコンテンツを出力し、Ｔ１＜操作時間≦Ｔ２の場合、中級者向けのコンテンツを出力し、Ｔ２＜操作時間の場合、初心者向けのコンテンツを出力することとしてもよい。これにより、視聴者の熟練度合いにより適したコンテンツを出力することが可能となる。
【００４８】
＜第２の実施形態＞  
以下、本発明の第２の実施形態について説明する。
第２の実施形態において、デジタルサイネージ装置１のプログラム記憶部２５１には、後述する出力制御処理Ｂのデジタルサイネージ装置１側の処理を実行するためのプログラムが記憶されている。
また、コンテンツ情報記憶部２５２には、初心者向けコンテンツ及びデジタルカメラ２の各機能を説明する複数のコンテンツのコンテンツ情報が記憶されている。
【００４９】
また、出力制御情報記憶部２５３には、後述する出力制御処理Ｂにおいて使用されるデジタルカメラ２の操作時間の閾値Ｔ、操作時間が閾値Ｔ以下となった機能の数（カウンタｘ）の閾値Ｘ、デジタルカメラ２に備えられている機能の数（機能数）Ｎが記憶されている。
【００５０】
また、デジタルカメラ２の記憶部２０４には、後述する出力制御処理Ｂのデジタルカメラ２側の処理を実行するためのプログラムが記憶されている。
【００５１】
第２の実施形態におけるコンテンツ出力システム１００のその他の構成は、第１の実施形態で説明したものと同様であるので説明を援用し、以下、第２の実施形態におけるコンテンツ出力システム１００の動作について説明する。
【００５２】
図６は、デジタルサイネージ装置１とデジタルカメラ２が所定の手順に基づいて通信接続された際に、デジタルサイネージ装置１とデジタルカメラ２において実行される出力制御処理Ｂの流れを示す図である。図６に示すデジタルサイネージ装置１側の処理は、制御部２３とプログラム記憶部２５１に記憶されているプログラムとの協働により実行される。デジタルカメラ２側の処理は、制御部２０１と記憶部２０４に記憶されているプログラムとの協働により実行される。
【００５３】
出力制御処理Ｂが開始されると、まず、デジタルサイネージ装置１の制御部２３は、プロジェクタ２４及び音声出力部３３により視聴者へのガイダンスを出力させる（ステップＳ１１）。視聴者へのガイダンスは、例えば、「デジタルカメラの各種機能を試してみてください」等の、視聴者にデジタルカメラ２に備えられている各機能の操作を促すガイダンスである。
【００５４】
次いで、制御部２３は、カウンタｘに０を設定し、変数ｎに１を設定する（ステップＳ１２）。
【００５５】
一方、デジタルカメラ２の制御部２０１は、変数ｎに１を設定し（ステップＳ１３）、操作部２０２によりｎ番目の機能に係る操作が開始されるのを待機する（ステップＳ１４）。
【００５６】
操作部２０２によりデジタルカメラ２のｎ番目の機能に係る操作が開始されると（ステップＳ１４；ＹＥＳ）、制御部２０１は、計時部２０７により出力される時刻情報に基づいて計時を開始する（ステップＳ１５）。操作部２０２によりｎ番目の機能に対応した所定の操作（ｎ番目の機能の実行のトリガとなる操作）が実行されると（ステップＳ１６；ＹＥＳ）、制御部２０１は、計時を終了する（ステップＳ１７）。
【００５７】
例えば、制御部２０１は、ホーム画面から操作部２０２によりｎ番目の機能が選択された際（即ち、ｎ番目の機能を使用するための操作が開始された際）に計時を開始し、ｎ番目の機能に対応した所定の操作が実行された際に計時を終了する。なお、或る機能がすでに使用されている場合は、ホーム画面に戻らずに、直接次の機能の操作に移る場合があるが、その場合は、或る機能が終了してから次の機能に対応する所定の操作が実行されるまでを次の機能に係る操作時間として計測することとしてもよい。各機能の操作時間の開始と終了を検知するタイミングは、出力制御情報記憶部２５３に予め定義されている。ステップＳ１４〜ステップＳ１７により、視聴者のデジタルカメラ２のｎ番目の機能に係る操作時間を計測することができる。
【００５８】
次いで、制御部２０１は、計測された操作時間及びその機能の情報を通信部２０６によりデジタルサイネージ装置１に送信する（ステップＳ１８）。
【００５９】
次いで、制御部２０１は、変数ｎがデジタルカメラ２の機能数Ｎ以上であるか否かを判断する（ステップＳ１９）。変数ｎが機能数Ｎ以上ではないと判断した場合（ステップＳ１９；ＮＯ）、制御部２０１は、変数ｎを１インクリメントし（ステップＳ２０）、ステップＳ１４に戻る。制御部２０１は、変数ｎが機能数Ｎ以上となるまでステップＳ１４〜ステップＳ２０を繰り返し実行する。
【００６０】
デジタルサイネージ装置１において、通信部２６によりデジタルカメラ２からｎ番目の機能の操作時間を受信すると、制御部２３は、受信した操作時間をその機能の情報に対応付けてメモリに記憶するとともに、操作時間が出力制御情報記憶部２５３に予め設定されている閾値Ｔ以下であるかを判断する（ステップＳ２１）。
【００６１】
操作時間が閾値Ｔ以下であると判断した場合（ステップＳ２１；ＹＥＳ）、制御部２３は、カウンタｘを１インクリメントし（ステップＳ２２）、ステップＳ２３に移行する。操作時間が閾値より大きいと判断した場合（ステップＳ２１；ＮＯ）、制御部２３は、ステップＳ２３に移行する。
【００６２】
ステップＳ２３において、制御部２３は、変数ｎがデジタルカメラ２の機能数Ｎ以上であるか否かを判断する（ステップＳ２３）。
変数ｎがデジタルカメラ２の機能数Ｎ以上ではないと判断した場合（ステップＳ２３；ＮＯ）、制御部２３は、変数ｎを１インクリメントし（ステップＳ２４）、ステップＳ２１に戻って次の操作時間の受信を待機する。
【００６３】
変数ｎがデジタルカメラ２の機能数Ｎであると判断した場合（ステップＳ２３；ＹＥＳ）、制御部２３は、カウンタｘが閾値Ｘ以上であるか否かを判断する（ステップＳ２５）。
カウンタｘが閾値Ｘ以上である場合、制御部２３は、出力するコンテンツを操作時間＞Ｔの機能を説明するコンテンツに決定し、コンテンツ情報記憶部２５２から操作時間＞Ｔの機能を説明するコンテンツを読み出してプロジェクタ２４及び音声出力部３３により出力させる（ステップＳ２６）。
カウンタｘが閾値Ｘ以上ではない（カウンタｘが閾値Ｘを下回る）場合、制御部２３は、出力するコンテンツをデジタルカメラ２の概要を説明する初心者向けコンテンツに決定し、コンテンツ情報記憶部２５２からデジタルカメラ２の概要を紹介する初心者向けコンテンツをプロジェクタ２４及び音声出力部３３により出力させる（ステップＳ２７）。
【００６４】
デジタルサイネージ装置１において、コンテンツの出力が終了すると、デジタルカメラ２との通信が接続されている場合、制御部２３は、例えば、通信部２６によりデジタルカメラ２にその旨を通知し、ステップＳ１１に戻る。デジタルカメラ２において、通信部２０６によりコンテンツ出力終了通知が受信されると、制御部２０１は、ステップＳ１３に戻る。
【００６５】
このように、デジタルサイネージ装置１においては、制御部２３は、視聴者のデジタルカメラ２の各機能に係る操作時間を算出し、操作時間≦Ｔの機能の数が閾値Ｘを下回る場合、デジタルカメラ２の概要を説明する初心者向けコンテンツを出力する。操作時間≦Ｔの機能の数が閾値Ｘ以上の場合、操作時間＞Ｔの機能を説明するコンテンツを出力する。従って、デジタルカメラ２に対する視聴者の熟練度合いに応じたコンテンツを出力することが可能となり、効果的な宣伝を行うことが可能となる。
【００６６】
なお、上記第２の実施形態においては、操作時間の閾値Ｔを一つ設け、操作時間≦Ｔの場合、カウンタｘを１インクリメントすることとしたが、操作時間の閾値は複数設けることとしてもよい。そして、制御部２３は、操作時間が何れの閾値を超えたか否かに基づいて、カウンタｘに加算する値を変えることとしてもよい。例えば、操作時間の閾値Ｔ１、Ｔ２（Ｔ１＜Ｔ２）を設け、操作時間≦Ｔ１の場合、カウンタｘを１加算し、Ｔ１＜操作時間≦Ｔ２の場合、カウンタｘを０．５加算し、Ｔ２＜操作時間の場合、カウンタｘを加算しないこととしてもよい。
【００６７】
また、上記第２の実施形態においては、操作時間≦Ｔの機能数が閾値Ｘ以上の場合、操作時間＞Ｔの機能を説明するコンテンツを出力することとしたが、デジタルカメラ２の上級者向けのコンテンツを出力することとしてもよい。
【００６８】
また、上記第２の実施形態においては、操作時間≦Ｔの機能の数であるカウンタｘの閾値Ｘを一つ設けることとしたが、複数設けることとしてもよい。そして、制御部２３は、カウンタｘの値が何れの閾値を超えたかに基づいて、コンテンツを選択することとしてもよい。例えば、閾値Ｘ１、Ｘ２（Ｘ１＞Ｘ２）を設け、ｘ≧Ｘ１の場合、上級者向けのコンテンツを出力し、Ｘ１＞ｘ≧Ｘ２の場合、中級者向けのコンテンツを出力し、Ｘ２＞ｘの場合、初心者向けのコンテンツを出力することとしてもよい。これにより、視聴者の熟練度合いにより適したコンテンツを出力することが可能となる。
【００６９】
以上説明したように、デジタルサイネージ装置１の制御部２３によれば、デジタルカメラ２に対する操作時間を取得し、取得した操作時間に基づいて、コンテンツを選択する。そして、選択したコンテンツをプロジェクタ２４及び音声出力部３３により出力させる。
従って、商品に対する視聴者の熟練度合いに応じたコンテンツを出力することが可能となる。
【００７０】
例えば、制御部２３は、取得した操作時間と予め定められた閾値に基づいて出力するコンテンツを選択するので、デジタルカメラ２の操作に時間がかかっているか否かに応じて異なるコンテンツを出力することが可能となる。
【００７１】
また、制御部２３は、取得した操作時間が複数の閾値のうち何れの閾値を超えたかに基づいて出力するコンテンツを選択するので、より視聴者の熟練度合いに適合したコンテンツを出力することが可能となる。
【００７２】
また、制御部２３は、デジタルカメラ２に備えられている機能毎の操作時間に基づいて出力するコンテンツを選択する。例えば、制御部２３は、操作時間が予め定められた閾値以下の機能の数に応じたコンテンツを選択するので、視聴者が熟練している機能が多い場合と少ない場合とで異なるコンテンツを出力することができる。また、例えば、制御部２３は、操作時間が予め定められた閾値を超えた機能に関するコンテンツを選択するので、視聴者が不慣れな機能に関するコンテンツを出力することが可能となる。
【００７３】
なお、上記実施形態における記述内容は、本発明に係るコンテンツ出力システムの好適な一例であり、これに限定されるものではない。
【００７４】
例えば、上記実施形態においては、商品がデジタルカメラである場合を例にとり説明したが、これに限定されるものではない。
【００７５】
また、上記実施形態においては、コンテンツを出力する出力手段（プロジェクタ２４、音声出力部３３）と、コンテンツを出力制御する出力制御手段が同一装置内に構成されている場合を例にとり説明したが、これらは別体であってもよい。
【００７６】
また、上記実施形態においては、本発明をプロジェクタからスクリーンに画像を投影することで画像の表示を行うデジタルサイネージ装置に適用した場合を例にとり説明したが、例えば、液晶ディスプレイ、プラズマディスプレイ等を備える表示装置に適用しても同様の効果を奏することができ、この例に限定されない。
【００７７】
その他、コンテンツ出力システムを構成する各装置の細部構成及び細部動作に関しても、発明の趣旨を逸脱することのない範囲で適宜変更可能である。
【００７８】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
商品に対する操作時間を取得する操作時間取得手段と、
前記操作時間取得手段により取得された操作時間に基づいて、コンテンツを選択する選択手段と、
前記選択手段により選択されたコンテンツを出力手段に出力させる出力制御手段と、
を備える出力制御装置。
＜請求項２＞
前記操作時間は、前記商品に備えられている機能を使用するための操作が開始されてから前記商品に備えられている機能に対応した所定の操作が実行されるまでの時間である請求項１に記載の出力制御装置。
＜請求項３＞
前記選択手段は、前記操作時間と予め定められた閾値に基づいて前記コンテンツを選択する請求項１又は２に記載の出力制御装置。
＜請求項４＞
前記閾値は複数設けられており、
前記選択手段は、前記操作時間が複数の前記閾値のうち何れの閾値を超えたかに基づいてコンテンツを選択する請求項３に記載の出力制御装置。
＜請求項５＞
前記操作時間取得手段は、前記商品に備えられている機能毎の前記操作時間を取得する請求項１又は２に記載の出力制御装置。
＜請求項６＞
前記選択手段は、前記商品に備えられている機能毎の前記操作時間に基づいて前記コンテンツを選択する請求項５に記載の出力制御装置。
＜請求項７＞
前記選択手段は、前記操作時間が予め定められた閾値を超えた機能の数に応じて前記コンテンツを選択する請求項５又は６に記載の出力制御装置。
＜請求項８＞
前記選択手段は、前記操作時間が予め定められた閾値を超えた機能に関するコンテンツを選択する請求項５〜７の何れか一項に記載の出力制御装置。
＜請求項９＞
商品に対する操作時間を取得する操作時間取得工程と、
前記操作時間取得工程において取得された操作時間に基づいて、コンテンツを選択する選択工程と、
前記選択工程において選択されたコンテンツを出力手段に出力させる出力制御工程と、
を含む出力制御方法。
＜請求項１０＞
コンピュータを、
商品に対する操作時間を取得する操作時間取得手段、
前記操作時間取得手段により取得された操作時間に基づいて、コンテンツを選択する選択手段、
前記選択手段により選択されたコンテンツを出力手段に出力させる出力制御手段、
として機能させるためのプログラム。
【符号の説明】
【００７９】
１００  コンテンツ出力システム
１  デジタルサイネージ装置
２３  制御部
２４  プロジェクタ
２５  記憶部
２５１  プログラム記憶部
２５２  コンテンツ情報記憶部
２５３  出力制御情報記憶部
２６  通信部
３２  操作部
３３  音声出力部
２  デジタルカメラ
２０１  制御部
２０２  操作部
２０３  表示部
２０４  記憶部
２０５  撮像部
２０６  通信部
２０７  計時部
【図１】
2018097761.tif 000003
【図２】
2018097761.tif 000004
【図３】
2018097761.tif 000005
【図４】
2018097761.tif 000006
【図５】
2018097761.tif 000007
【図６】
2018097761.tif 000008